(57)【要約】【課題】性能評価の関わる検査を簡素化することで、ＴＶ生産工場での生産ラインにおけるテレビジョン受像機の生産性をさらに向上させること。【解決手段】ＴＶ標準試験信号供給装置１０により供給される所定帯域（６０ＧＨｚ帯）の地上波及び衛星波に相当するＴＶ標準試験用信号が、該ＴＶ標準試験信号供給装置１０に接続される送信手段である送信器３０により無線送信されると、テレビジョン受像機６０のＴＶアンテナ端子６１に接続されている受信手段である受信器４０により受信され、テレビジョン受像機６０側でＴＶ標準試験用信号に応じた少なくとも映像の表示状態が確認されることで、テレビジョン受像機６０の性能評価が行われるようにした。【選択図】図１
2010130336.tif 000002
【特許請求の範囲】
【請求項１】
所定帯域の地上波及び衛星波に相当するＴＶ標準試験用信号を供給するＴＶ標準試験信号供給装置と、
該ＴＶ標準試験信号供給装置に接続され、前記ＴＶ標準試験用信号を無線送信する送信手段と、
テレビジョン受像機のＴＶアンテナ端子に接続され、前記送信手段からのＴＶ標準試験信号を受信する受信手段とを備え、
前記テレビジョン受像機側で前記ＴＶ標準試験用信号に応じた少なくとも映像の表示状態を確認することにより前記テレビジョン受像機の性能評価が行われる
ことを特徴とするテレビジョン受像機の性能評価システム。
【請求項２】
前記送信手段は、前記性能評価の検査工程に配置され、
前記受信手段は、ベルトコンベアによって搬送される、前記テレビジョン受像機を載置するパレット上に固定され、
前記テレビジョン受像機が前記ベルトコンベアによって前記検査工程まで搬送されると、前記受信手段が前記送信手段と対向して前記ＴＶ標準試験用信号を受信する
ことを特徴とする請求項１に記載のテレビジョン受像機の性能評価システム。
【請求項３】
前記送信手段は、前記性能評価の検査工程に配置されるとともに、所定の電波放射角度が持たされており、
前記受信手段は、ベルトコンベアによって搬送される、前記テレビジョン受像機を載置するパレット上に固定され、
前記テレビジョン受像機が前記ベルトコンベアによって前記検査工程まで搬送されると、前記受信手段が前記送信手段からの前記ＴＶ標準試験用信号を受信する
ことを特徴とする請求項１に記載のテレビジョン受像機の性能評価システム。
【請求項４】
前記送信手段は、前記ベルトコンベアの上方に配置されることを特徴とする請求項３に記載のテレビジョン受像機の性能評価システム。
【発明の詳細な説明】
【技術分野】
【０００１】
本発明は、テレビジョン受像機のＴＶ生産工場での生産ラインにおける性能評価に適したテレビジョン受像機の性能評価システムに関する。
【背景技術】
【０００２】
従来より、ＴＶ生産工場での生産ラインにおいて、テレビジョン受像機を出荷するに際しては、梱包する前にテレビジョン受像機の映像出力あるいは音声出力についての性能評価に関わる検査が行われる。この性能評価に関わる検査は、作業者が所定の映像をディスプレイに表示させるとともに、手動にてリモコンの操作ボタンを操作し、表示パターンの輝度や色合いあるいは音量等を適宜変化させ、その変化態様を監視し、出力の動作が正常であるか異常であるかを確認することにより行われる。
【０００３】
ところが、このような性能評価に関わる検査を行うに際しては、作業者がリモコンを手動にて操作しチャンネルを切り替えたり、リモコンの操作ボタンを操作して映像出力の輝度や色合い、あるいは、音声出力の音量を適宜変化させる必要があるため、作業者の作業工数が増加してしまう。
【０００４】
このような不具合を解消するようにしたものとして、特許文献１では、工場集中システムから送出されるテレビジョン放送信号の出力設定用の操作信号を含むキャプション信号に基づいて映像出力あるいは音声出力の出力設定を変化させるようにした出力設定制御方法を提案している。
【特許文献１】特開２００２−２３８０６３号公報
【発明の開示】
【発明が解決しようとする課題】
【０００５】
上述した特許文献１では、テレビジョン放送信号の出力設定用の操作信号を含むキャプション信号に基づいて映像出力あるいは音声出力の出力設定を変化させることにより、自動的に表示パターンの切り替えや色合い、輝度あるいは音量等の出力設定が変えられるため、作業者によるリモコン装置における手動での操作が排除され、性能評価の関わる検査を行うに際しての作業者の作業工数が軽減されるようになっている。
【０００６】
ところが、このような性能評価の関わる検査を行う方法では、テレビジョン放送信号に相当するＴＶ標準試験用信号をテレビジョン受像機に入力する場合、ＴＶ標準試験用信号の配線ケーブルを個々のテレビジョン受像機のアンテナ端子に接続する必要がある。
【０００７】
このように、個々のテレビジョン受像機のアンテナ端子にＴＶ標準試験用信号の配線ケーブルを接続するようにすると、１日の生産台数分に応じた性能評価の工数に、ＴＶ標準試験用信号の配線ケーブルの接続の工数が加わるため、作業者の作業工数がＴＶ標準試験用信号の配線ケーブルの接続に関わる工数分だけ増加することになる。
【０００８】
その結果、作業者の負担が増加してしまうばかりか、性能評価の関わる検査に必要以上の時間がかかることから、ＴＶ生産工場での生産ラインにおけるテレビジョン受像機の生産性をさらに向上させる上で妨げとなってしまうという問題があった。
【０００９】
本発明は、このような状況に鑑みてなされたものであり、性能評価の関わる検査を簡素化することで、ＴＶ生産工場での生産ラインにおけるテレビジョン受像機の生産性をさらに向上させることができるテレビジョン受像機の性能評価システムを提供することを目的とする。
【課題を解決するための手段】
【００１０】
本発明のテレビジョン受像機の性能評価システムは、所定帯域の地上波及び衛星波に相当するＴＶ標準試験用信号を供給するＴＶ標準試験信号供給装置と、該ＴＶ標準試験信号供給装置に接続され、前記ＴＶ標準試験用信号を無線送信する送信手段と、テレビジョン受像機のＴＶアンテナ端子に接続され、前記送信手段からのＴＶ標準試験信号を受信する受信手段とを備え、前記テレビジョン受像機側で前記ＴＶ標準試験用信号に応じた少なくとも映像の表示状態を確認することにより前記テレビジョン受像機の性能評価が行われることを特徴とする。
また、前記送信手段は、前記性能評価の検査工程に配置され、前記受信手段は、ベルトコンベアによって搬送される、前記テレビジョン受像機を載置するパレット上に固定され、前記テレビジョン受像機が前記ベルトコンベアによって前記検査工程まで搬送されると、前記受信手段が前記送信手段と対向して前記ＴＶ標準試験用信号を受信するようにすることができる。
また、前記送信手段は、前記性能評価の検査工程に配置されるとともに、所定の電波放射角度が持たされており、前記受信手段は、ベルトコンベアによって搬送される、前記テレビジョン受像機を載置するパレット上に固定され、前記テレビジョン受像機が前記ベルトコンベアによって前記検査工程まで搬送されると、前記受信手段が前記送信手段からの前記ＴＶ標準試験用信号を受信するようにすることができる。
また、前記送信手段は、前記ベルトコンベアの上方に配置されるようにすることができる。
本発明のテレビジョン受像機の性能評価システムでは、ＴＶ標準試験信号供給装置により供給される所定帯域の地上波及び衛星波に相当するＴＶ標準試験用信号が、該ＴＶ標準試験信号供給装置に接続される送信手段により無線送信されると、テレビジョン受像機のＴＶアンテナ端子に接続されている受信手段により受信され、テレビジョン受像機側でＴＶ標準試験用信号に応じた少なくとも映像の表示状態が確認されることで、テレビジョン受像機の性能評価が行われる。
この場合、性能評価の検査工程において、ＴＶ標準試験信号供給装置からの地上波及び衛星波に相当するＴＶ標準試験用信号を供給する配線ケーブルをテレビジョン受像機のＴＶアンテナ端子に接続する作業が不要となり、地上波及び衛星波における性能評価が効率よく行われる。
【発明の効果】
【００１１】
本発明のテレビジョン受像機の性能評価システムによれば、性能評価の検査工程において、ＴＶ標準試験信号供給装置からの地上波及び衛星波に相当するＴＶ標準試験用信号を供給する配線ケーブルをテレビジョン受像機のＴＶアンテナ端子に接続する作業を不要とし、地上波及び衛星波における性能評価が効率よく行われるようにしたので、性能評価の関わる検査を簡素化することができ、ＴＶ生産工場での生産ラインにおけるテレビジョン受像機の生産性をさらに向上させることができる。
【発明を実施するための最良の形態】
【００１２】
以下、本発明の実施例の詳細について説明する。
【００１３】
（第１実施形態）
図１は、本発明のテレビジョン受像機の性能評価システムをテレビジョン受像機のＴＶ生産工場での生産ラインに適用した場合の第１実施形態を説明するための図である。
【００１４】
同図に示すように、テレビジョン受像機の性能評価システムは、ＴＶ（テレビジョン）標準試験信号供給装置１０と、分配器（又は分岐器）２０と、送信器３０と、受信器４０とを備えている。
【００１５】
ＴＶ標準試験信号供給装置１０は、地上波発生器１１、衛星波発生器１２、多重化器１３を有している。
【００１６】
地上波発生器１１は、ケーブル１３ｄを介して多重化器１３に接続され、アナログ放送波及びデジタル放送波に相当するＴＶ標準試験用信号を発生してケーブル１３ｄに出力する。衛星波発生器１２は、ケーブル１３ｅを介して多重化器１３に接続され、ＢＳ（放送衛星）／ＣＳ（通信衛星）１１０゜のデジタル放送波に相当するＴＶ標準試験用信号を発生してケーブル１３ｅに出力する。
【００１７】
多重化器１３は、同軸ケーブル１３ｆを介して分配器（又は分岐器）２０に接続され、地上波発生器１１及び衛星波発生器１２によって発生されたＴＶ標準試験用信号を多重化して同軸ケーブル１３ｆに出力する。
【００１８】
分配器（又は分岐器）２０は、同軸ケーブル１３ｇ，１３ｈを介してそれぞれの送信器３０に接続され、同軸ケーブル１３ｆを介して取り込んだ多重化器１３により多重化されたＴＶ標準試験用信号を、同軸ケーブル１３ｇ，１３ｈを介してそれぞれの送信器３０に分配する。また、分配器（又は分岐器）２０には、インピーダンス整合のためのダミー抵抗２１が接続されている。
【００１９】
送信器３０は、パレット５０上に載置されたテレビジョン受像機６０を矢印方向に搬送するベルトコンベア７０の図示しない枠体に固定され、分配器２０によって分配されたＴＶ標準試験用信号を送信する。なお、図中、送信器３０が２個となっているが、これは性能評価の検査工程が２カ所ある場合を想定したものである。よって、性能評価の検査工程が１カ所である場合は送信器３０が１個となり、性能評価の検査工程が複数カ所である場合は送信器３０が複数個となる。
【００２０】
受信器４０は、テレビジョン受像機６０を載置するパレット５０上に固定されている。また、受信器４０の配線ケーブル４１は、テレビジョン受像機６０がパレット５０に載置されるとき、すなわち送信器３０が配置されている性能評価の検査工程の前段階でテレビジョン受像機６０のＴＶアンテナ端子６１に予め接続されるようになっている。
【００２１】
ここで、パレット５０上に載置されたテレビジョン受像機６０がベルトコンベア７０によって搬送されると、パレット５０上に固定されている受信器４０が送信器３０と対向することになる。このときの送信器３０と受信器４０との間隔は、たとえば複数の検査工程の配置関係に応じて適宜設定することができる。
【００２２】
ただし、複数の検査工程が密集している場合、送信器３０と受信器４０との間隔はできる限り狭い方が好ましい（たとえば１０ｃｍ程度）。これにより、送信器３０からの電波出力を必要最小限とすることができ、複数の検査工程が密集していても、送信器３０からの電波が他の検査工程でのテレビジョン受像機６０に悪影響を与えることがなくなる。
【００２３】
次に、図２により、図１のＴＶ標準試験信号供給装置１０の詳細について説明する。ここで、図２は、ＴＶ標準試験信号供給装置１０の内部構成を示すブロック図である。
【００２４】
同図に示すように、ＴＶ標準試験信号供給装置１０の地上波発生器１１には、地上波アナログ変調部１１ａ〜１１ｃと、地上波デジタル変調部１１ａ〜１１ｆとが設けられている。
【００２５】
これらの地上波アナログ変調部１１ａ〜１１ｃ及び地上波デジタル変調部１１ａ〜１１ｆは、それぞれ異なるテストチャンネルである、ａ−１ｃｈ，ａ−２ｃｈ，・・・ａ−ｎｃｈとｂ−１ｃｈ，ｂ−２ｃｈ，・・・ｂ−ｎｃｈとを有しており、それぞれのテストチャンネルに、評価や試験に必要な異なる映像や音声に変調がかけられてＴＶ標準試験用信号として出力されるようになっている。
【００２６】
なお、これらのテストチャンネルａ−１ｃｈ，ａ−２ｃｈ，・・・ａ−ｎｃｈとｂ−１ｃｈ，ｂ−２ｃｈ，・・・ｂ−ｎｃｈは、テレビジョン受像機６０側のそれぞれのチャンネルに相当するものであり、リモコンによってチャンネルを変えることにより、それぞれ該当するチャンネルにテストチャンネルの映像が映し出される。
【００２７】
また、ＴＶ標準試験信号供給装置１０の衛星波発生器１２には、ＢＳデジタル変調部１２ａ〜１２ｃと、ＣＳ１１０゜デジタル変調部１２ｄ〜１２ｆとが設けられている。これらのＢＳデジタル変調部１２ａ〜１２ｃ及びＣＳ１１０゜デジタル変調部１２ｄ〜１２ｆは、上記同様に、それぞれ異なるテストチャンネルである、ｃ−１ｃｈ，ｃ−２ｃｈ，・・・ｃ−ｎｃｈとｄ−１ｃｈ，ｄ−２ｃｈ，・・・ｄ−ｎｃｈとを有しており、それぞれのテストチャンネルに、評価や試験に必要な異なる映像や音声に変調がかけられてＴＶ標準試験用信号として出力されるようになっている。
【００２８】
なお、これらのテストチャンネルｃ−１ｃｈ，ｃ−２ｃｈ，・・・ｃ−ｎｃｈとｄ−１ｃｈ，ｄ−２ｃｈ，・・・ｄ−ｎｃｈは、上記同様に、テレビジョン受像機６０側のそれぞれのチャンネルに相当するものであり、リモコンによってチャンネルを変えることにより、それぞれ該当するチャンネルにテストチャンネルの映像が映し出される。
【００２９】
ここで、これらの複数のテストチャンネルでの変調においては、６０ＧＨｚ帯が用いられるようになっている。すなわち、ミリ波帯（周波数３０〜３００ＧＨｚ、波長１〜１０ｍｍの電波）は、携帯電話や無線ＬＡＮに比べて周波数が高く、広帯域伝送や機器の小型化が可能となるという特徴がある。
【００３０】
中でも、６０ＧＨｚ帯はこの特徴に加えて酸素による吸収減衰が大きいため、遠くまで到達せず、しかも干渉が起こりにくいという特性がある。また、６０ＧＨｚ帯の周波数は、使用周波数帯域幅（５９ＧＨｚを超え６６ＧＨｚ以下）により７ＧＨｚの広帯域を使用でき、空中線電力（１０ｍＷ以下）の条件の元、免許を要しない特定無線局（特定省電力無線局）として電波法で認められている。
【００３１】
さらには、伝送速度の基準を決める送信機の伝送帯域幅は、最大２．５ＧＨｚまで許容でき、ギガビット伝送が可能な周波数帯域であるため、この広帯域特性により地上波アナログ放送、地上波デジタル放送、ＢＳ／ＣＳ１１０°放送を多重化して一度に伝送することが可能となる。
【００３２】
この特性を生かして、ＴＶ生産工場での生産性の向上のため、上述した性能評価の検査工程でのＴＶアンテナ端子６１への配線ケーブル４１の接続をなくし、無線化することにより生産性を向上させることが可能となる。
【００３３】
また、６０ＧＨｚの周波数帯域は世界的にも無線の免許を必要としない周波数帯域として確保されているため、日本のみでなく海外での使用も可能である。ちなみに、米国連邦通信委員会（ＦＣＣ：Ｆｅｄｅｒａｌ  Ｃｏｍｍｕｎｉｃａｔｉｏｎｓ  Ｃｏｍｍｉｓｓｉｏｎ）では５７Ｇ〜６４ＧＨｚという７ＧＨｚもの周波数帯域を、免許を申請せずに使ってよい免許不要の帯域として割り当てたことがある。欧州では、ＦＣＣに対し上限が６６ＭＨｚ（案）周波数帯域となっている。
【００３４】
また、ＴＶ標準試験信号供給装置１０の多重化器１３には、チャンネルミキサー１３ａ，１３ｂと、地上波・ＢＳ／ＣＳ１１０゜ミキサー１３ｃとが設けられている。
【００３５】
チャンネルミキサー１３ａは、地上波アナログ変調部１１ａ〜１１ｃ及び地上波デジタル変調部１１ａ〜１１ｆによって変調がかけられたそれぞれのＴＶ標準試験用信号をミキシングしてケーブル１３ｄに出力する。
【００３６】
チャンネルミキサー１３ｂは、ＢＳデジタル変調部１２ａ〜１２ｃ及びＣＳ１１０゜デジタル変調部１２ｄ〜１２ｆによって変調がかけられたそれぞれのＴＶ標準試験用信号をミキシングしてケーブル１３ｅに出力する。
【００３７】
地上波・ＢＳ／ＣＳ１１０゜ミキサー１３ｃは、チャンネルミキサー１３ａ及びチャンネルミキサー１３ｂによってミキシングされたそれぞれのＴＶ標準試験用信号をさらにミキシングして同軸ケーブル１３ｆに出力する。
【００３８】
次に、図３により、図１のテレビジョン受像機６０について説明する。ここで、図３は、テレビジョン受像機６０の構成の概略を示すブロック図である。
【００３９】
同図に示すように、テレビジョン受像機６０は、ＴＶアンテナ端子６１，６１ａ，６１ｂと、アナログチューナ６２と、デジタルチューナ６３と、アナログ信号処理部６４と、デジタル信号処理部６５と、映像信号処理部６６と、画像表示部６７と、スピーカ６８と、制御部６９と、受光部６９ａを有している
【００４０】
ＴＶアンテナ端子６１には、上述した受信器４０からの配線ケーブル４１が接続されるようになっている。また、ＴＶアンテナ端子６１はたとえばスルーアウトであり、ＴＶアンテナ端子６１に入力されたＴＶ標準試験用信号がＴＶアンテナ端子６１ａからＴＶアンテナ端子６１ｂに出力されるようになっている。
【００４１】
アナログチューナ６２は、ＴＶアンテナ端子６１から取り込まれた信号から、地上波アナログ変調部１１ａ〜１１ｃによって変調がかけられたＴＶ標準試験用信号の選局処理等を行う。
【００４２】
デジタルチューナ６３は、ＴＶアンテナ端子６１ｂから取り込まれた信号から、地上波デジタル変調部１１ａ〜１１ｆ、ＢＳデジタル変調部１２ａ〜１２ｃ及びＣＳ１１０゜デジタル変調部１２ｄ〜１２ｆによって変調がかけられたＴＶ標準試験用信号の選局処理等を行う。
【００４３】
アナログ信号処理部６４は、アナログチューナ６２によって選局されたＴＶ標準試験用信号に対する信号処理により、映像信号及び音声信号を出力する。
【００４４】
デジタル信号処理部６５は、デジタルチューナ６３によって選局されたＴＶ標準試験用信号に対する信号処理により、映像信号及び音声信号を出力する。
【００４５】
映像信号処理部６６は、アナログ信号処理部６４又はデジタル信号処理部６５からの映像信号及び音声信号に対する信号処理により、映像出力用信号及び音声出力用信号を出力する。画像表示部６７は、映像信号処理部６６からの映像出力用信号に基づき、映像を表示する。
【００４６】
スピーカ６８は、映像信号処理部６６からの音声出力用信号に基づき、音声を出力する。制御部６９は、たとえば受光部６９ａを介して得られるリモコン信号等に基づいて、各部の動作を制御する。受光部６９ａは、図示しないリモコンからの選局信号等を受光する。
【００４７】
次に、図４のフローチャート等を参照し、ＴＶ生産工場での生産ラインにおけるテレビジョン受像機６０のテレビジョン受像機の性能評価方法について説明する。
【００４８】
まず、ＴＶ標準試験信号供給装置１０によりＴＶ標準試験用信号を生成して出力する（ステップＳ１）。この場合、上述したように、地上波発生器１１の地上波アナログ変調部１１ａ〜１１ｃ及び地上波デジタル変調部１１ａ〜１１ｆによる、それぞれ異なるテストチャンネルである、ａ−１ｃｈ，ａ−２ｃｈ，・・・ａ−ｎｃｈとｂ−１ｃｈ，ｂ−２ｃｈ，・・・ｂ−ｎｃｈに、評価や試験に必要な異なる映像や音声に変調がかけられる。
【００４９】
また、衛星波発生器１２のＢＳデジタル変調部１２ａ〜１２ｃ及びＣＳ１１０゜デジタル変調部１２ｄ〜１２ｆによる、それぞれ異なるテストチャンネルである、ｃ−１ｃｈ，ｃ−２ｃｈ，・・・ｃ−ｎｃｈとｄ−１ｃｈ，ｄ−２ｃｈ，・・・ｄ−ｎｃｈに、評価や試験に必要な異なる映像や音声に変調がかけられる。
【００５０】
ここで、これらの複数のテストチャンネルでの変調においては、上述したように、６０ＧＨｚ帯が用いられる。
【００５１】
次いで、上述した地上波・ＢＳ／ＣＳ１１０゜ミキサー１３ｃにより、チャンネルミキサー１３ａ及びチャンネルミキサー１３ｂによってミキシングされたそれぞれのＴＶ標準試験用信号がさらにミキシングされて同軸ケーブル１３ｆに出力される。
【００５２】
そして、同軸ケーブル１３ｆに出力されたＴＶ標準試験用信号は、分配器２０により、同軸ケーブル１３ｇ，１３ｈに分配された後、性能評価の検査工程に配置されている送信器３０から送信される（ステップＳ２）。
【００５３】
このとき、パレット５０上に載置されたテレビジョン受像機６０がベルトコンベア７０によって性能評価の検査工程まで搬送されてくると、パレット５０上に固定されている受信器４０により、送信器３０から送信されたＴＶ標準試験用信号が受信される（ステップＳ３）。
【００５４】
そして、作業員は、図示しないリモコンを操作し、テレビジョン受像機６０のチャンネルを順次切り替えることで、地上波及び衛星波における性能評価を行うことができる（ステップＳ４）。
【００５５】
ここで、受信器４０は、上述したように、テレビジョン受像機６０がパレット５０に載置されるとき、すなわち送信器３０が配置されている性能評価の検査工程の前段階でテレビジョン受像機６０のＴＶアンテナ端子６１に配線ケーブル４１を介して予め接続されている。
【００５６】
そのため、性能評価の検査工程においては、配線ケーブル４１をテレビジョン受像機６０のＴＶアンテナ端子６１に接続する作業が不要となることから、地上波及び衛星波における性能評価を効率よく行うことができる。
【００５７】
このように、第１実施形態では、ＴＶ標準試験信号供給装置１０により供給される所定帯域（６０ＧＨｚ帯）の地上波及び衛星波に相当するＴＶ標準試験用信号が、該ＴＶ標準試験信号供給装置１０に接続される送信手段である送信器３０により無線送信されると、テレビジョン受像機６０のＴＶアンテナ端子６１に接続されている受信手段である受信器４０により受信され、テレビジョン受像機６０側でＴＶ標準試験用信号に応じた少なくとも映像の表示状態が確認されることで、テレビジョン受像機６０の性能評価が行われるようにした。
【００５８】
この場合、性能評価の検査工程において、ＴＶ標準試験信号供給装置１０からの地上波及び衛星波に相当するＴＶ標準試験用信号を供給する配線ケーブルをテレビジョン受像機６０のＴＶアンテナ端子６１に接続する作業が不要となり、地上波及び衛星波における性能評価が効率よく行われることから、性能評価の関わる検査を簡素化することができ、ＴＶ生産工場での生産ラインにおけるテレビジョン受像機６０の生産性をさらに向上させることができる。
【００５９】
すなわち、従来では、個々のテレビジョン受像機６０のアンテナ端子６１にＴＶ標準試験用信号の配線ケーブルを接続する必要があり、１日の生産台数分に応じた性能評価の工数に、ＴＶ標準試験用信号の配線ケーブルの接続の工数が加わるため、作業者の作業工数がＴＶ標準試験用信号の配線ケーブルの接続に関わる工数分だけ増加することになっていたが、本実施形態のように、送信器３０により無線送信されるＴＶ標準試験用信号をテレビジョン受像機６０のＴＶアンテナ端子６１に接続されている受信器４０により受信するようにすることで、ＴＶアンテナ端子６１へのＴＶ標準試験用信号を供給する配線ケーブルの接続を不要とすることができる。
【００６０】
ちなみに、図１のテレビジョン受像機６０の性能評価システムにより、実際に、地上波デジタル、ＢＳ／ＣＳ１１０°デジタル放送に相当するＴＶ標準試験用信号を送受信した実験結果では、ＭＥＲ（Ｍｏｄｕｌａｔｉｏｎ  Ｅｒｒｏｒ  Ｒａｔｉｏ）の劣化は６〜８ｄＢ程度であり、受信時の映像評価には問題のない充分なレベルであった。
【００６１】
また、アナログ放送に相当するＴＶ標準試験用信号を送受信した場合でのＣＮ比（Ｃａｒｒｉｅｒ  Ｎｏｉｓｅ  Ｒａｔｉｏ）の劣化についても、受信時の映像評価には問題のない充分なレベルであった。
【００６２】
また、第１実施形態で使用するＴＶ標準試験用信号の伝送帯域幅は、最大２．５ＧＨｚまで許容可能であるため、ＶＨＦ帯から衛星帯までカバーすることが可能である。ただし、本システムでは、送受信に必要なパイロット信号との関係で、海外の衛星帯で２．１ＧＨｚを超えて送受信する場合、地上波と衛星波とに別々に偏波をもたせ、同時に送受信することで、ＴＶ標準試験用信号の送受信が可能となる。また、同じ帯域の異なった放送方式のＴＶ標準試験用信号も偏波を持たせることにより同時に送受信することが可能である。
【００６３】
また、第１実施形態では、ＴＶ標準試験用信号が送信器３０により無線送信されるため、生産ラインのレイアウト変更時では送信器３０の移動のみで、容易に対応することができるとともに、テレビジョン受像機６０の搬送方向に対する考慮も不要となり、自由度の高い室内のレイアウト設計が可能となる。
【００６４】
（第２実施形態）
次に、図５を参照し、本発明のテレビジョン受像機の性能評価システムをテレビジョン受像機のＴＶ生産工場での生産ラインに適用した場合の第２実施形態について説明する。
【００６５】
ここで、図５は、図１のテレビジョン受像機の性能評価システムの構成を変えた場合を示す図である。なお、以下に説明する図において、図１と共通する部分には同一符号を付し、重複する説明は適宜行うものとする。
【００６６】
同図に示すように、第２実施形態では、送信器３０がベルトコンベア７０の上方、すなわちパレット５０上のテレビジョン受像機６０の頭上に配置されている。その他の構成は、図１とほぼ同じである。
【００６７】
また、第２実施形態での送信器３０には、所定の電波放射角度が持たされている。これにより、配線ケーブル４１を介してテレビジョン受像機６０のＴＶアンテナ端子６１に予め接続されている受信器４０との距離を、たとえば２ｍないし３ｍから１０ｍ程度まで広げることが可能となる。
【００６８】
このような構成では、上述の図４で説明したように、ＴＶ標準試験信号供給装置１０によりＴＶ標準試験用信号が生成されて出力されると、地上波・ＢＳ／ＣＳ１１０゜ミキサー１３ｃにより、チャンネルミキサー１３ａ及びチャンネルミキサー１３ｂによってミキシングされたそれぞれのＴＶ標準試験用信号がさらにミキシングされて同軸ケーブル１３ｆに出力される。
【００６９】
そして、同軸ケーブル１３ｆに出力されたＴＶ標準試験用信号が、分配器２０により同軸ケーブル１３ｇに分配された後、ベルトコンベア７０によって搬送されるパレット５０上のテレビジョン受像機６０の頭上に配置されている送信器３０から送信されると、パレット５０上に固定されている受信器４０により、送信器３０から送信されたＴＶ標準試験用信号が受信される。
【００７０】
そして、作業員は、上述したように、図示しないリモコンを操作し、テレビジョン受像機６０のチャンネルを順次切り替えることで、地上波及び衛星波における性能評価を行うことができる。
【００７１】
このように、第２実施形態では、第１実施形態における作用効果に加え、所定の電波放射角度が持たされている送信器３０がベルトコンベア７０の上方、すなわちパレット５０上のテレビジョン受像機６０の頭上に配置されているため、送信器３０からのＴＶ標準試験用信号が複数の受信器４０により受信されることになることから、性能評価の検査工程が複数カ所である場合でも、送信器３０の数を必要最小限とすることができるとした作用効果を有する。
【産業上の利用可能性】
【００７２】
信号を受信するテレビジョン受像機以外の受信装置の性能評価を行うシステムにも適用可能である。
【図面の簡単な説明】
【００７３】
【図１】本発明のテレビジョン受像機の性能評価システムをテレビジョン受像機のＴＶ生産工場での生産ラインに適用した場合の第１実施形態を説明するための図である。
【図２】図１のＴＶ標準試験信号供給装置の内部構成を示すブロック図である。
【図３】図１のテレビジョン受像機の構成の概略を示すブロック図である。
【図４】図１のＴＶ生産工場での生産ラインにおけるテレビジョン受像機のテレビジョン受像機の性能評価方法について説明するためのフローチャートである。
【図５】図１のテレビジョン受像機の性能評価システムの構成を変えた場合の第２実施形態を説明するための図である。
【符号の説明】
【００７４】
１０  ＴＶ標準試験信号供給装置
１１  地上波発生器
１１ａ〜１１ｃ  地上波アナログ変調部
１１ｄ〜１１ｆ  地上波デジタル変調部
１２  衛星波発生器
１２ａ〜１２ｃ  ＢＳデジタル変調部
１２ｄ〜１２ｆ  ＣＳ１１０゜デジタル変調部
１３  多重化器
１３ａ，１３ｂ  チャンネルミキサー
１３ｃ  地上波・ＢＳ／ＣＳ１１０゜ミキサー
１３ｄ，１３ｅ  ケーブル
１３ｆ，１３ｇ  同軸ケーブル
２０  分配器（又は分岐器）
２１  ダミー抵抗
３０  送信器
４０  受信器
４１  配線ケーブル
５０  パレット
６０  テレビジョン受像機
６１，６１ａ，６１ｂ  ＴＶアンテナ端子
６２  アナログチューナ
６３  デジタルチューナ
６４  アナログ信号処理部
６５  デジタル信号処理部
６６  映像信号処理部
６７  画像表示部
６８  スピーカ
６９  制御部
６９ａ  受光部
７０  ベルトコンベア
【図１】
2010130336.tif 000003
【図２】
2010130336.tif 000004
【図３】
2010130336.tif 000005
【図４】
2010130336.tif 000006
【図５】
2010130336.tif 000007